(57)【要約】【課題】情報処理装置において、マウスボタンに割り当てた機能を実行するとき、連続して同じ機能を複数回実行したい場合と、その機能を１度だけ実行したい場合のいずれにも容易に対応可能とする。【解決手段】マウス２４の所定のボタン２４ａに割り当てられた所定の機能が実行された後も、そのボタン２４ａに割り当てられた機能が不変である第１モードおよび、上記所定のボタン２４ａに割り当てられた所定の機能が１回実行されると、そのボタン２４ａに割り当てられた機能が、前記所定の機能とは異なる既定機能に変わる第２モードのいずれか一つを選択的に設定できるようにする。【選択図】図３
2014010738.tif 000002
【特許請求の範囲】
【請求項１】
操作されるボタンを有するマウスを入力手段として備え、
前記マウスの所定のボタンに対して所定の機能を割り当て可能に構成された情報処理装置において、
前記所定のボタンに割り当てられた所定の機能が実行された後も、そのボタンに割り当てられた機能が不変である第１モードおよび、前記マウスの所定のボタンに割り当てられた所定の機能が１回実行されると、そのボタンに割り当てられた機能が、前記所定の機能とは異なる既定機能に変わる第２モードのいずれか一つを選択的に設定するマウス機能制御手段が設けられたことを特徴とする情報処理装置。
【請求項２】
操作されるボタンを有するマウスを入力手段として備え、
前記マウスの所定のボタンに対して所定の機能を割り当て可能に構成された情報処理装置において、
前記所定のボタンに割り当てられた所定の機能が実行された後も、そのボタンに割り当てられた機能が不変である第１モード、前記マウスの所定のボタンに割り当てられた所定の機能が１回実行されると、そのボタンに割り当てられた機能が、前記所定の機能とは異なる既定機能に変わる第２モードおよび、前記マウスの所定のボタンに割り当てられた所定の機能が１回実行されると、それに続いて特定の処理が実行される第３モードのいずれか一つを選択的に設定するマウス機能制御手段が設けられたことを特徴とする情報処理装置。
【請求項３】
入力手段としてキーボードをさらに備え、
前記マウス機能制御手段が、前記キーボードの特定のショートカットキーの操作に応じて前記第１モードおよび第２モードのいずれか一つを選択的に設定するように構成されていることを特徴とする請求項１または２記載の情報処理装置。
【請求項４】
前記マウス機能制御手段が、前記ショートカットキーが押されてから離された後に前記所定のボタンが操作されたときは前記第１モードを設定し、前記ショートカットキーが押されたまま前記所定のボタンが操作されたときは前記第２モードを設定するように構成されていることを特徴とする請求項３記載の情報処理装置。
【請求項５】
画像表示する構成を有し、
前記所定の機能および既定機能として、画像表示に関わる機能を実行することを特徴とする請求項１から４いずれか１項記載の情報処理装置。
【請求項６】
操作されるボタンを有するマウスを入力手段として備え、
前記マウスの所定のボタンに対して所定の機能を割り当て可能に構成された情報処理装置において、
前記所定のボタンに割り当てられた所定の機能が実行された後も、そのボタンに割り当てられた機能が不変である第１モードおよび、前記マウスの所定のボタンに割り当てられた所定の機能が１回実行されると、そのボタンに割り当てられた機能が、前記所定の機能とは異なる既定機能に変わる第２モードのいずれか一つを選択的に設定することを特徴とする情報処理装置の機能設定方法。
【請求項７】
操作されるボタンを有するマウスを入力手段として備え、
前記マウスの所定のボタンに対して所定の機能を割り当て可能に構成された情報処理装置において、
前記所定のボタンに割り当てられた所定の機能が実行された後も、そのボタンに割り当てられた機能が不変である第１モード、前記マウスの所定のボタンに割り当てられた所定の機能が１回実行されると、そのボタンに割り当てられた機能が、前記所定の機能とは異なる既定機能に変わる第２モードおよび、前記マウスの所定のボタンに割り当てられた所定の機能が１回実行されると、それに続いて特定の処理が実行される第３モードのいずれか一つを選択的に設定することを特徴とする情報処理装置の機能設定方法。
【請求項８】
入力手段としてさらに設けられたキーボードにおける特定のショートカットキーの操作に応じて前記第１モードおよび第２モードのいずれか一つを選択的に設定することを特徴とする請求項６または７記載の情報処理装置の機能設定方法。
【請求項９】
前記ショートカットキーが押されてから離された後に前記所定のボタンが操作されたときは前記第１モードを設定し、前記ショートカットキーが押されたまま前記所定のボタンが操作されたときは前記第２モードを設定することを特徴とする請求項８記載の情報処理装置の機能設定方法。
【請求項１０】
前記情報処理装置が画像表示する構成を有するものである場合に、前記所定の機能および既定機能として、画像表示に関わる機能を実行することを特徴とする請求項６から９いずれか１項記載の情報処理装置の機能設定方法。
【請求項１１】
操作されるボタンを有するマウスを入力手段として備え、
前記マウスの所定のボタンに対して所定の機能を割り当て可能に構成された情報処理装置において、
前記所定のボタンに割り当てられた所定の機能が実行された後も、そのボタンに割り当てられた機能が不変である第１モードおよび、前記マウスの所定のボタンに割り当てられた所定の機能が１回実行されると、そのボタンに割り当てられた機能が、前記所定の機能とは異なる既定機能に変わる第２モードのいずれか一つを選択的に設定する手順を有する情報処理装置の機能設定方法をコンピュータに実行させるためのプログラム。
【請求項１２】
操作されるボタンを有するマウスを入力手段として備え、
前記マウスの所定のボタンに対して所定の機能を割り当て可能に構成された情報処理装置において、
前記所定のボタンに割り当てられた所定の機能が実行された後も、そのボタンに割り当てられた機能が不変である第１モード、前記マウスの所定のボタンに割り当てられた所定の機能が１回実行されると、そのボタンに割り当てられた機能が、前記所定の機能とは異なる既定機能に変わる第２モードおよび、前記マウスの所定のボタンに割り当てられた所定の機能が１回実行されると、それに続いて特定の処理が実行される第３モードのいずれか一つを選択的に設定する手順を有する情報処理装置の機能設定方法をコンピュータに実行させるためのプログラム。
【発明の詳細な説明】
【技術分野】
【０００１】
本発明は、主にコンピュータから構成される情報処理装置に関し、特に情報入力手段としてマウスを用いる情報処理装置に関するものである。
【０００２】
また本発明は、上述のような情報処理装置においてなされる機能設定方法、並びにその方法をコンピュータに実行させるためのプログラムに関するものである。
【背景技術】
【０００３】
従来、例えば特許文献１や特許文献２に示されるように、例えばコンピュータ等からなる情報処理において、入力手段としてマウスが多く用いられている。このマウスは一般に、左ボタンや右ボタンを備えるものであるが、上記特許文献１、２にも示されている通り、各ボタンには所定の機能が割り当て可能とされている。
【先行技術文献】
【特許文献】
【０００４】
【特許文献１】特開2001-134379号公報
【特許文献２】特開2004-110217号公報
【発明の概要】
【発明が解決しようとする課題】
【０００５】
ところで、マウス操作によって、マウスボタンに割り当てた機能（例えば直線を引く機能）を実行するとき、連続して同じ機能を複数回実行したい場合と、その機能を１度だけ実行したい場合の２パターンがある。例えば直線を引く機能について説明すると、下記の通りの状況となっている。
【０００６】
[MS Word（登録商標）で直線を引く場合]
(1)ツールバーの[直線]をクリックして、マウスボタンに[直線]ツールを割り当てる。
【０００７】
(2)マウスボタンを押す→ドラッグする→マウスボタンを離すことで、直線を引く。マウスボタンを離すと、マウスボタンに割り当てられた[直線]ツールは自動的に解除され、既定機能が割り当てられた状態に戻る。
【０００８】
(3)更に直線を引きたい場合は、(1)(2)を繰り返す。
【０００９】
[MS Paint（登録商標）で直線を引く場合]
(1)ツールボックスの[直線]をクリックして、マウスボタンに[直線]ツールを割り当てる。
【００１０】
(2)マウスボタンを押す→ドラッグする→マウスボタンを離すことで、直線を引く。マウスボタンを離しても、[直線]ツールはボタンに割り当てられたまま維持される。
【００１１】
(3)更に直線を引きたい場合は、(2)だけを繰り返す。
【００１２】
上記の例でも明らかな通り、従来の情報処理装置においては、上記２パターンのいずれか一方にしか対応できていない。
【００１３】
本発明は上記の事情に鑑みてなされたものであり、上記２パターンのいずれにも対応可能で、操作しやすい情報処理装置を提供することを目的とする。
【００１４】
また本発明は、そのような情報処理装置を実現できる、情報処理装置の機能設定方法および、その方法をコンピュータに実行させるためのプログラムを提供することを目的とする。
【課題を解決するための手段】
【００１５】
本発明による第１の情報処理装置は、
操作されるボタンを有するマウスを入力手段として備え、
前記マウスの所定のボタンに対して所定の機能を割り当て可能に構成された情報処理装置において、
前記所定のボタンに割り当てられた所定の機能が実行された後も、そのボタンに割り当てられた機能が不変である第１モードおよび、前記マウスの所定のボタンに割り当てられた所定の機能が１回実行されると、そのボタンに割り当てられた機能が、前記所定の機能とは異なる既定機能に変わる第２モードのいずれか一つを選択的に設定するマウス機能制御手段が設けられたことを特徴とするものである。
【００１６】
また、本発明による第２の情報処理装置は、
操作されるボタンを有するマウスを入力手段として備え、
前記マウスの所定のボタンに対して所定の機能を割り当て可能に構成された情報処理装置において、
前記所定のボタンに割り当てられた所定の機能が実行された後も、そのボタンに割り当てられた機能が不変である第１モード、前記マウスの所定のボタンに割り当てられた所定の機能が１回実行されると、そのボタンに割り当てられた機能が、前記所定の機能とは異なる既定機能に変わる第２モードおよび、前記マウスの所定のボタンに割り当てられた所定の機能が１回実行されると、それに続いて特定の処理が実行される第３モードのいずれか一つを選択的に設定するマウス機能制御手段が設けられたことを特徴とするものである。
【００１７】
なお、本発明の情報処理装置は、
入力手段としてキーボードをさらに備え、
前記マウス機能制御手段が、前記キーボードの特定のショートカットキーの操作に応じて前記第１モードおよび第２モードのいずれか一つを選択的に設定するように構成されていることが望ましい。
【００１８】
その場合、上記マウス機能制御手段は、前記ショートカットキーが押されてから離された後に前記所定のボタンが操作されたときは前記第１モードを設定し、前記ショートカットキーが押されたまま前記所定のボタンが操作されたときは前記第２モードを設定するように構成されていることが特に望ましい。
【００１９】
また本発明の情報処理装置は、
画像表示する構成を有し、
前記所定の機能および既定機能として、画像表示に関わる機能を実行するように構成されていることが望ましい。
【００２０】
他方、本発明による第１の情報処理装置の機能設定方法は、
操作されるボタンを有するマウスを入力手段として備え、
前記マウスの所定のボタンに対して所定の機能を割り当て可能に構成された情報処理装置において、
前記所定のボタンに割り当てられた所定の機能が実行された後も、そのボタンに割り当てられた機能が不変である第１モードおよび、前記マウスの所定のボタンに割り当てられた所定の機能が１回実行されると、そのボタンに割り当てられた機能が、前記所定の機能とは異なる既定機能に変わる第２モードのいずれか一つを選択的に設定することを特徴とするものである。
【００２１】
また、本発明による第２の情報処理装置の機能設定方法は、
操作されるボタンを有するマウスを入力手段として備え、
前記マウスの所定のボタンに対して所定の機能を割り当て可能に構成された情報処理装置において、
前記所定のボタンに割り当てられた所定の機能が実行された後も、そのボタンに割り当てられた機能が不変である第１モード、前記マウスの所定のボタンに割り当てられた所定の機能が１回実行されると、そのボタンに割り当てられた機能が、前記所定の機能とは異なる既定機能に変わる第２モードおよび、前記マウスの所定のボタンに割り当てられた所定の機能が１回実行されると、それに続いて特定の処理が実行される第３モードのいずれか一つを選択的に設定することを特徴とするものである。
【００２２】
なお、本発明による情報処理装置の機能設定方法は、
入力手段としてさらに設けられたキーボードにおける特定のショートカットキーの操作に応じて前記第１モードおよび第２モードのいずれか一つを選択的に設定するものであることが望ましい。
【００２３】
その場合は、前記ショートカットキーが押されてから離された後に前記所定のボタンが操作されたときは前記第１モードを設定し、前記ショートカットキーが押されたまま前記所定のボタンが操作されたときは前記第２モードを設定するようにするのが特に望ましい。
【００２４】
また、本発明による情報処理装置の機能設定方法は、情報処理装置が画像表示する構成を有するものである場合には、前記所定の機能および既定機能として、画像表示に関わる機能を実行するものであることが望ましい。
【００２５】
なお、上述した第１および第２の機能設定方法を、コンピュータに実行させるためのプログラムとして提供してもよい。
【発明の効果】
【００２６】
本発明によれば、マウスの所定のボタンに割り当てられた所定の機能が実行された後も、そのボタンに割り当てられた機能が不変である第１モードおよび、マウスの所定のボタンに割り当てられた所定の機能が１回実行されると、そのボタンに割り当てられた機能が、前記所定の機能とは異なる既定機能に変わる第２モードのいずれか一つを選択的に設定できるようにしたので、先に述べたように、連続して同じ機能を複数回実行したい場合と、その機能を１度だけ実行したい場合の２つの状況に対して、いずれも少ない簡単な操作で対応可能となる。
【００２７】
また、本発明において特に前記第３モードを実行可能とした場合は、ある所定機能を実行した後に、それに対応する特定処理を直ちに行いたい要求があるとき、その要求にも容易に対応可能となる。
【図面の簡単な説明】
【００２８】
【図１】本発明の一実施形態による情報処理装置を含む医療情報システムの概略構成図
【図２】上記情報処理装置としての画像表示装置を示す斜視図
【図３】上記情報処理装置に用いられたマウスを示す斜視図
【図４】図２の画像表示装置における画像表示例を示す図
【図５】図２の画像表示装置における、階調機能設定時の画像表示例を示す図
【図６】図２の画像表示装置における、階調機能設定時の別の画像表示例を示す図
【図７】図２の画像表示装置における、拡大機能設定時の画像表示例を示す図
【図８】図２の画像表示装置における、拡大機能設定時の別の画像表示例を示す図
【図９】図２の画像表示装置における、移動機能設定時の画像表示例を示す図
【図１０】図２の画像表示装置における、移動機能設定時の別の画像表示例を示す図
【図１１】図２の画像表示装置における、ページング機能設定時の画像表示例を示す図
【図１２】図２の画像表示装置における、ページング機能設定時の別の画像表示例を示す図
【図１３】図２の画像表示装置における、ページング機能設定時のさらに別の画像表示例を示す図
【図１４】図２の画像表示装置における、ページング機能設定時のさらに別の画像表示例を示す図
【図１５】図２の画像表示装置における、領域選択機能設定時の画像表示例を示す図
【図１６】図２の画像表示装置における、画素値機能設定時の画像表示例を示す図
【図１７】図２の画像表示装置における、距離機能設定時の画像表示例を示す図
【図１８】図２の画像表示装置における、楕円ＲＯＩ機能設定時の画像表示例を示す図
【図１９】図２の画像表示装置における、矩形ＲＯＩ機能設定時の画像表示例を示す図
【図２０】図２の画像表示装置における、アノテーションの選択と編集機能設定時の画像表示例を示す図
【図２１】図２の画像表示装置における、アノテーションの選択と編集機能設定時の別の画像表示例を示す図
【図２２】図２の画像表示装置における、アノテーションの選択と編集機能設定時のさらに別の画像表示例を示す図
【図２３】図２の画像表示装置における、アノテーションの選択と編集機能設定時のさらに別の画像表示例を示す図
【図２４】図２の画像表示装置における機能設定用画面の一例を示す図
【図２５】図２の画像表示装置における機能設定用画面の別の例を示す図
【発明を実施するための形態】
【００２９】
以下、図面を参照して本発明の実施形態を詳細に説明する。図１は、本発明の一実施形態による情報処理装置を適用した医療情報システムの概略構成を示すものである。この医療情報システムは、医用画像の撮影装置（モダリティ）１、上記情報処理装置からなる画像表示装置（読影ワークステーション）２、画像サーバ３、および画像データベース４が、ネットワーク１０を介して互いに通信可能な状態に接続されて構成されている。本システムにおける各機器は、ＣＤ−ＲＯＭ等の記録媒体からインストールされたプログラムによって制御される。また、プログラムは、インターネット等のネットワーク経由で接続されたサーバからダウンロードされた後にインストールされたものであってもよい。
【００３０】
モダリティ１には、被検体の検査対象部位を撮影することにより、その部位を表す画像の画像データを生成し、その画像データに検査情報および患者情報等の付帯情報を付加して出力する装置が含まれる。上記付帯情報は、ＤＩＣＯＭ規格等の標準化された規格および、そのモダリティ等のメーカーの規格に準拠したフォーマットのものである。モダリティ１の具体例としては、ＣＴ装置、ＭＲＩ装置、ＰＥＴ装置および超音波撮影装置等が挙げられる。
【００３１】
本例において扱われる画像データは、一例としてＣＴ装置において取得された、被検体の断層画像を示す画像データであり、より詳しくは、所定のスライス間隔およびスライス厚による軸位断画像の画像データの集合体である。ただし、本発明の情報処理装置が扱うデータは、このような画像データに限られるものではない。
【００３２】
画像表示装置２は、そのユーザである画像読影医等が、画像の読影および読影レポートの作成に利用する装置である。画像表示装置２は図２にその概略構成を示すように、ＣＰＵ、ハードディスク等の記憶装置、メモリおよび各種インターフェース等を備えた処理装置２１、１台または２台の高精細ディスプレイ２２（１台のみ図示）、並びにキーボード２３およびマウス２４等の入力手段２５からなるコンピュータシステムにより構成されている。
【００３３】
上記マウス２４は図３に示す通り、通常のものと同様に左ボタン２４ａ、右ボタン２４ｂおよびホイール２４ｃに加えて、底部に配置された位置検出用のボールあるいは光学手段（図示せず）等を有している。
【００３４】
読影ワークステーションを構成する画像表示装置２は、処理装置２１にインストールされたプログラムに基づいて、画像サーバ３に対する画像の閲覧要求、画像サーバ３から受信した画像に対する各種画像処理、画像中の構造物および病変らしい部分の自動検出および強調表示を含む各種解析処理、画像の表示、読影レポートの作成の支援、読影レポートサーバ（図示なし）に対する読影レポートの登録要求および閲覧要求、並びに読影レポートサーバから受信した読影レポートの表示等を行えるように構成されている。
【００３５】
一方画像サーバ３は、汎用の比較的処理能力の高いコンピュータにデータベース管理システム（DataBase Management System: DBMS）の機能を提供するソフトウェアプログラムがインストールされたものである。また、画像サーバ３は画像データベース４を構築する大容量ストレージを備えている。このストレージは、画像サーバ３とデータバスによって接続された大容量のハードディスク装置であってもよいし、ネットワーク１０に接続されているＮＡＳ（Network Attached Storage）やＳＡＮ（Storage Area Network）に接続されたディスク装置であってもよい。画像サーバ３も、モダリティ１および画像表示装置２等とネットワーク１０を介して通信を行う通信インターフェースを有している。この画像サーバ３は、モダリティ１からの画像の登録要求を受け付けると、その画像をデータベース用のフォーマットに整えて画像データベース４に登録する。
【００３６】
画像データベース４には、上述した３次元画像の画像データと付帯情報とが登録される。付帯情報には、例えば、個々の画像を識別するための画像ＩＤ、被写体を識別するための患者ＩＤ、検査を識別するための検査ＩＤ、画像毎に割り振られるユニークなＩＤ（ＵＩＤ）、その画像が生成された検査日、検査時刻、その画像を取得するための検査で使用されたモダリティの種類、患者氏名、年齢、性別等の患者情報、検査部位（撮影部位）、撮影情報（撮影プロトコル、撮影シーケンス、撮像手法、撮影条件、造影剤の使用等）、１回の検査で複数の画像を取得したときのシリーズ番号あるいは採取番号等の情報が含まれうる。
【００３７】
画像サーバ３は、画像表示装置２からの閲覧要求をネットワーク１０経由で受信すると、上記画像データベース４に登録されている画像を検索し、抽出された画像を要求元の画像表示装置２に送信する。
【００３８】
画像表示装置２は、画像読影医等のユーザによって読影対象画像の閲覧を要求する操作が行われると、画像サーバ３に対して閲覧要求を送信し、読影に必要な画像を取得する。そして画像表示装置２は、その画像に対して各種画像処理を実行したり、画像の表示を行う。
【００３９】
次に、画像表示装置２のディスプレイ２２における画像表示について、図４を参照して説明する。なお、以下で説明する１つの「検査」は、１人の「患者」に属する。また１つの「検査」は、複数の「シリーズ」からなり、そして１つの「シリーズ」は、複数の「画像」からなるものである。
【００４０】
ユーザ（操作者）が、ディスプレイ２２に表示された不図示の検査リストから「検査」を選択すると、図４に示すような画像表示画面がディスプレイ２２に表示される。この画像表示画面は一例として、左上に配置された検査リスト表示領域２２ａ、その右側に配置されたサムネイル表示領域２２ｂ、およびそれらの下側に配置された画像表示領域２２ｃから構成されている。
【００４１】
上記検査リスト表示領域２２ａには、患者に関する検査のリストが表示される。そしてこのリスト上で検査を選択すると、サムネイル表示領域が更新されるようになっている。サムネイル表示領域２２ｂには、「検査リストで選択されている検査」に属するシリーズの１つのサムネイル画像が表示される。
【００４２】
そしてそれらのサムネイル画像から１つを選択して、それを画像表示領域２２ｃのシリーズ表示枠にドラッグ＆ドロップすると、そのサムネイル画像が含まれているドラッグ元のシリーズが、ドロップ先のシリーズ表示枠内に表示される。
【００４３】
画像表示領域２２ｃは、複数個のシリーズ表示枠からなる。各シリーズ表示枠には、１個のシリーズが表示されるようになっている。なお図４の例では、２×２のレイアウトで、４個のシリーズが表示されるようになっている。
【００４４】
次に、読影のための具体的操作について説明する。操作者は、画像表示領域２２ｃに表示されている各シリーズに対する操作、つまり階調や拡大率を変える操作等を行いながら、読影を行う。各シリーズに対する操作は、主にマウス２４のクリックやドラッグ操作によって行われる。このクリックやドラッグ操作においては、マウス２４のボタン２４ａあるいは２４ｂに割り当てた機能が実行される。なお、この割り当てのための操作については後に詳述する。以下、マウスボタンに割り当て可能な機能と、各機能の具体的な表示動作を説明する。
【００４５】
《階調》
この階調機能が設定されている場合、マウス２４を上下にドラッグ（例えば左ボタン２４ａを押した状態でのドラッグ）すると、ウィンドウの階調中心値が変化する。つまり、表示画像の明るさが変化する。一方マウス２４を左右にドラッグすると、ウィンドウの階調幅が変化する。つまり、表示画像のコントラストが変化する。図５および図６にそれぞれ、本機能が設定されているときのドラッグ操作前、後の表示画像例を示す。
【００４６】
《拡大》
この拡大機能が設定されている場合、マウス２４を上下にドラッグすると、表示画像の拡大率が変化する。図７および図８にそれぞれ、本機能が設定されているときのドラッグ操作前、後の表示画像例を示す。
【００４７】
《移動》
この移動機能が設定されている場合、マウス２４をドラッグすると、ドラッグ方向に沿って表示画像が移動（パン）する。図９および図１０にそれぞれ、本機能が設定されているときのドラッグ操作（ドラッグ方向は、図１０に付した矢印の方向）前、後の表示画像例を示す。
【００４８】
《ページング》
このページング機能が設定されている場合、マウス２４を上下にドラッグすると、シリーズの表示画像が、ページを１枚ずつめくるように、前後の画像に切り替わる。図１１〜１４に、本機能が設定されているときにドラッグ操作によりページングされた表示画像例を示す。
【００４９】
《領域選択》
この領域選択機能が設定されている場合、マウス２４をドラッグして始点・終点を指定すると、一般的なペイントソフトにおける領域選択のように、指定された矩形領域が選択状態になる。図１５に、本機能により領域選択がなされた表示画像例を示す。
【００５０】
《画素値》
この画素値機能が設定されている場合、マウス２４をクリック（例えば左ボタン２４ａのクリック）すると、画素値を示すアノテーションが付与される。図１６に、本機能により画素値を示すアノテーションが付与された表示画像例を示す。
【００５１】
《距離》
この距離機能が設定されている場合、マウス２４をドラッグして始点・終点を指定すると、それら両点の間の距離を示すアノテーションが付与される。図１７に、本機能により距離を示すアノテーションが付与された表示画像例を示す。
【００５２】
《楕円ＲＯＩ》
この楕円ＲＯＩ機能が設定されている場合、マウス２４をドラッグして始点・終点を指定すると、楕円ＲＯＩおよび、その楕円ＲＯＩの面積や画素値の平均値等を示すアノテーションが付与される。図１８に、本機能により楕円ＲＯＩ等を示すアノテーションが付与された表示画像例を示す。
【００５３】
《矩形ＲＯＩ》
この矩形ＲＯＩ機能が設定されている場合、マウス２４をドラッグして始点・終点を指定すると、矩形ＲＯＩおよび、その矩形ＲＯＩの面積や画素値の平均値等を示すアノテーションが付与される。図１９に、本機能により矩形ＲＯＩ等を示すアノテーションが付与された表示画像例を示す。
【００５４】
《アノテーションの選択と編集》
このアノテーションの選択と編集機能が設定されている場合、表示されているアノテーションをマウス２４でクリックすると、クリックされたアノテーションが選択状態となる。図２０および図２１にそれぞれ、本機能が設定されているときのクリック操作前、後の表示画像例を示す。この例では、図２１に示されるように、選択されたアノテーションを含む領域が矩形の枠で示されている。このような枠は例えば赤色等の明確に分かる色で表示することが好ましい。
【００５５】
また、このアノテーションの選択と編集機能が設定されている場合、表示されているアノテーションをマウス２４でドラッグすると、アノテーションの編集がなされる。この「編集」の具体例としては、位置の移動や形状の変更等が挙げられる。図２２および図２３にそれぞれ、本機能が設定されているときのドラッグ操作前、後の表示画像例を示す。ここでは、矩形ＲＯＩを示すアノテーションの右下部がドラッグされて、矩形の大きさが小さくされた例を示している。
【００５６】
なお画像表示装置２には、以上述べたようなマウス２４のクリックやドラッグ操作によらず、それ以外の操作で実行される機能が適宜与えられてもよい。そのような機能としては例えば、《アノテーションの削除》、《クリップボードにコピー》、および《カスタマイズ》等の機能が挙げられる。
【００５７】
上記《アノテーションの削除》機能は、先に述べた「アノテーションの選択と編集」機能で選択されているアノテーションを削除する機能である。《クリップボードにコピー》機能は、前述した「領域選択」機能で選択されている領域の画像データをクリップボードにコピーさせる機能である。また《カスタマイズ》機能は、各種設定をカスタマイズする画面（不図示）を表示させ、その画面において、各機能を実行するためのショートカットキーの設定などを変更可能にする機能である。
【００５８】
次に、マウス２４に機能を割り当てる方法について説明する。本実施形態においては、マウス２４のボタンに機能を割り当てるために、次の２種類の方法が適用可能とされている。
【００５９】
（１）右クリックメニューの項目を選ぶ。
【００６０】
（２）キーボード２３の特定のショートカットキーを押す。
【００６１】
なお、以下で説明する機能割り当ては、図２に示した処理装置２１により、所定のプログラムに基づいてなされる。すなわち本実施形態においては処理装置２１が、マウス機能制御手段を構成している。
【００６２】
［（１）の方法による第１モードの設定］
まず、（１）の方法について説明する。図２に示したディスプレイ２２の表示画像上でマウス２４を右クリックすると、例えば図２４に示すような右クリックメニューが表示される。処理装置２１は、この右クリックメニューからマウスボタンに機能が割り当てられたときは、マウス操作に前述の第１モードを設定する。すなわち、図２４に示した右クリックメニューの「階調」を例えばマウスカーソルで選択した状態で、マウス２４の左ボタン２４ａをクリックすると、マウスボタンに前述した《階調》機能が割り当てられるとともに、第１モードが設定される。
【００６３】
そこでこの場合は、マウス２４をドラッグ（例えば左ボタン２４ａを押した状態でのドラッグ）操作することにより、画像の階調を変化させることができる。そして、第１モードが設定されているので、マウスボタン（例えば上記左ボタン２４ａ）を離した後も、《階調》機能がマウスボタンに割り当てられたまま維持される。したがって、連続して階調を変化させたいときは、上記のドラッグ操作を繰り返せばよい。このように、第１モードにおいては、一つの機能を連続して複数回実行したいときの操作数が少なくて済むことになる。
【００６４】
この後、マウスボタンに《階調》以外の機能を割り当てるには、上記右クリックメニューを利用したり、あるいは後述のショートカットキーを利用したりして、所望の別の機能を割り当てればよい。
【００６５】
［（２）の方法による第１モードの設定］
次に（２）の方法について説明する。この方法によれば、前述した第１モードと第２モードのいずれをも設定することができるが、先ず第１モードを設定する場合について説明する。本実施形態では、一例として、キーボード２３の特定のショートカットキーを押して離すと、第１モードが設定されるようになっている。
【００６６】
具体的に、上記《階調》機能を割り当てる場合について説明する。なおこの場合は、マウスボタンに前述した《拡大》機能が既定機能として割り当てられているとする。この状態下で、ショートカットキーとされたキーボード２３の例えば「Ｗ」キーを押すと、マウスボタンに《階調》機能が割り当てられるとともに、第１モードが設定される。
【００６７】
そこでこの場合も、マウス２４をドラッグ操作することにより、画像の階調を変化させることができる。そして、第１モードが設定されているので、マウスボタンを離した後も、《階調》機能がマウスボタンに割り当てられたまま維持される。したがって、連続して階調を変化させたいときは、上記のドラッグ操作を繰り返せばよい。この場合も、一つの機能を連続して複数回実行したいときの操作数が少なくて済むことになる。
【００６８】
この後、マウスボタンに《階調》以外の機能を割り当てるには、「Ｗ」キーではない別のショートカットキーを利用したり、あるいは前記右クリックメニューを利用したりして、所望の別の機能を割り当てればよい。
【００６９】
［（２）の方法による第２モードの設定］
次に（２）の方法により、第２モードを設定する場合について説明する。本実施形態では、一例として、キーボード２３の特定のショートカットキーを押したままマウス２４をクリック操作したり、ドラッグ操作をしたりすると、第２モードが設定されるようになっている。
【００７０】
具体的に、上記《階調》機能を割り当てる場合について説明する。なおこの場合も、マウスボタンに前述した《拡大》機能が既定機能として割り当てられているとする。この状態下で、ショートカットキーとされたキーボード２３の「Ｗ」キーを押したままにしていると、マウスボタン（例えば左ボタン２４ａ）に《階調》機能が割り当てられるとともに、第２モードが設定される。そこで、「Ｗ」キーを押したままマウス２４をドラッグすると、画像の階調が変化する。
【００７１】
そして、「Ｗ」キーを押したままマウスボタンを離すと、マウスボタンの割り当てが直ぐに、既定機能である直前の機能つまり《拡大》機能に戻る。「Ｗ」キーは、その後に離される。したがって、この後にマウス２４のドラッグ操作をすれば、《拡大》機能を利用できる。ドラッグ操作で《拡大》機能を利用してから、マウスボタンを離した後も、《拡大》機能はマウスボタンに割り当てられたまま維持される。
【００７２】
このように第２モードによれば、ある機能を１度だけ実行してすぐに直前の機能に戻したいときの操作数が少なくて済むようになる。
【００７３】
なお、以上説明した例では、所定機能を１度実行した後に戻る「既定機能」を「直前の機能」としているが、「既定機能」を予め決められた「デフォルトの機能」としてもよい。そうする場合も、ある機能を１度だけ実行してすぐにデフォルトの機能に戻したいときの操作数が少なくて済むようになる。
【００７４】
ところで、画像表示装置２を利用している際には、マウス２４に割り当てられた機能を利用した後すぐに、現在の割り当て機能に応じた特定の処理を実行したいこともある。すなわち例えば、次のような状況がある。
【００７５】
（Ａ）《領域選択》機能で領域を選択したら、すぐに《クリップボードにコピー》機能を実行したい。
【００７６】
（Ｂ）《矩形ＲＯＩ》機能で矩形ＲＯＩを示すアノテーションを付与したら、すぐに《アノテーションの選択と編集》機能を利用したい。
【００７７】
これらの状況に対応するため、本発明の別の実施形態においては、前述した通りの第１モードおよび第２モードに加えて、第３モードも設定できるようにし、それら３つのモードを切り替え可能としている。ここで第３モードとは、マウス２４による所定機能を１回利用すると、それに続いて特定の処理が実行されるモードのことである。
【００７８】
この第３モードにおける所定機能とそれに応じた特定の処理は、例えば図２５に示すような、ディスプレイ２２の表示画面上で設定可能とされている。すなわち、この設定用の表示画面で「ツール操作後の動作」が設定されているツール（機能）を利用したときは、第３モードが設定される。例えば図２５の例では、「領域選択」と「ツール操作後の動作」として「クリップボードにコピー」の組合せが選択された状態になっており、この状態下で「ＯＫ」ボタンがクリックされると、《領域選択》機能で領域を選択したら、すぐに《クリップボードにコピー》機能が実行される第３モードが設定される。
【００７９】
また、図２５の例ではその他に、《距離》、《角度》・・・《矩形ＲＯＩ》等の機能を利用したら、すぐに《アノテーションの選択と編集》機能が実行される第３モードを設定することも可能になっている。
【００８０】
なお以上説明した実施形態では、第３モードが第１モードおよび第２モードよりも優先して設定されるが、それに限らず、例えば第２モードが第３モードより優先して設定されるようにしてもよい。すなわち、キーボード２３の特定のショートカットキーを押したままマウス２４を操作したときは、上記第３モードに関わる設定は無視され、常に既定機能に戻る動作としてもよい。
【００８１】
以上、画像表示に関連する機能を設定するように構成された実施形態について説明したが、本発明の方法は、画像表示以外に関連する機能をマウスに割り当てる場合にも適用可能であり、それらの場合においても、既述の効果が同様に得られることになる。
【００８２】
なお、以上説明した本発明による情報処理装置の機能設定方法の手順をコンピュータに実行させるプログラムも、本発明の実施形態の一つである。さらには、そのようなプログラムを記録したコンピュータ読取り可能な記録媒体も、本発明の実施形態の一つである。
【符号の説明】
【００８３】
１    モダリティ
２    読影ワークステーション
３    画像サーバ
４    画像データベース
２１  処理装置
２２  ディスプレイ
２３  キーボード
２４  マウス
２４ａ  マウスの左ボタン
２４ｂ  マウスの右ボタン
２４ａ  マウスのホイール
２５    入力手段
【図１】
2014010738.tif 000003
【図２】
2014010738.tif 000004
【図３】
2014010738.tif 000005
【図４】
2014010738.tif 000006
【図２４】
2014010738.tif 000007
【図２５】
2014010738.tif 000008
【図５】
2014010738.tif 000009
【図６】
2014010738.tif 000010
【図７】
2014010738.tif 000011
【図８】
2014010738.tif 000012
【図９】
2014010738.tif 000013
【図１０】
2014010738.tif 000014
【図１１】
2014010738.tif 000015
【図１２】
2014010738.tif 000016
【図１３】
2014010738.tif 000017
【図１４】
2014010738.tif 000018
【図１５】
2014010738.tif 000019
【図１６】
2014010738.tif 000020
【図１７】
2014010738.tif 000021
【図１８】
2014010738.tif 000022
【図１９】
2014010738.tif 000023
【図２０】
2014010738.tif 000024
【図２１】
2014010738.tif 000025
【図２２】
2014010738.tif 000026
【図２３】
2014010738.tif 000027